(57)【要約】唾液腺による唾液の生成を制御または隔離する唾液制御装置（１００）。唾液制御装置（１００）は、本体（１０２）、該本体中に形成され唾液腺上に密閉を形成する孔（１０４）、該孔（１０４）が密閉を形成するのを補助する本体（１０２）内にある減圧室（１０６）および空気排出口（１０８）を含む。前記空気排出口（１０８）は、減圧室（１０６）および孔（１０４）を減圧にし、その後減圧を維持するために選択して用いられる。【選択図】なし
2009504359.tif 000002
【特許請求の範囲】
【請求項１】
唾液腺による唾液の生成を制御する唾液制御装置であって、
本体；
本体中の孔、この孔は唾液腺上に密閉を形成する；
本体中の減圧室、この減圧室は、唾液制御装置を唾液腺上に配置し減圧室を減圧にしたときに唾液腺上に密閉を形成する孔を補助する；および
空気排出口、この空気排出口は選択的に減圧室を減圧にしそして減圧室の減圧を維持する、
からなる上記唾液制御装置。
【請求項２】
空気排出口が一方通行のバルブである、請求項１に記載の唾液制御装置。
【請求項３】
空気排出口が本体の頂部に配置されている、請求項１に記載の唾液制御装置。
【請求項４】
空気排出口が本体の頂部の中心付近に配置されている、請求項３に記載の唾液制御装置。
【請求項５】
さらに、唾液制御装置を吸引装置に一時的に連結することを補助するためのボタン、盛り上がったリムまたは溝のうちの少なくとも一つを空気排出口の近くに有する、請求項１に記載の唾液制御装置。
【請求項６】
空気排出口がボタン中に形成されたスリットからなる、請求項５に記載の唾液制御装置。
【請求項７】
さらに、本体に命綱を取り付けるための少なくとも一つの凹部または凸部を有する、請求項１に記載の唾液制御装置。
【請求項８】
さらに、本体に取り付けられた命綱を有する、請求項７に記載の唾液制御装置。
【請求項９】
装置の少なくとも一部が柔軟な変形しうる材料で形成されている、請求項１に記載の唾液制御装置。
【請求項１０】
孔が実質的に円形である、請求項１に記載の唾液制御装置。
【請求項１１】
孔が、唾液腺の一つを受容するような大きさおよび構成を有する、請求項１に記載の唾液制御装置。
【請求項１２】
孔が、唾液腺の二つを受容するような大きさおよび構成を有する、請求項１に記載の唾液制御装置。
【請求項１３】
さらに第二の孔を有し、各孔が唾液腺のそれぞれを受容するような構成を有する、請求項１に記載の唾液制御装置。
【請求項１４】
装置がひとまとまりの部品で形成されている、請求項１に記載の唾液制御装置。
【請求項１５】
請求項１に記載の唾液制御装置を準備する段階；
該唾液制御装置をヒトの唾液腺上に配置する段階；
ヒトの唾液腺上の該唾液制御装置を減圧吸着し、該唾液腺から口腔内に流れる唾液を防ぐ段階；そして
唾液制御装置を取り外す段階
からなる、唾液制御装置の使用方法。
【請求項１６】
唾液制御装置が耳下腺上に配置される、請求項１５に記載の方法。
【請求項１７】
唾液制御装置が舌下腺上に配置される、請求項１５に記載の方法。
【請求項１８】
さらに、ヒトの唾液腺上に装置を配置しそして減圧にする前に、唾液制御装置の底部に粘着剤を塗布する段階を有する、請求項１５に記載の方法。
【請求項１９】
前記粘着剤がポリビニルピロリドン、カルボキシメチルセルロース、またはｃａｒｂｏｐｏｌのうちの少なくとも一つである、請求項１８に記載の方法。
【請求項２０】
前記粘着剤が、親水性ポリウレタン、親水性アクリル樹脂、または浸水例ポリウレタン−アクリル樹脂のうちの少なくとも一つからなる光硬化性粘着剤である、請求項１８に記載の方法。
【請求項２１】
唾液制御装置が約３０分〜約３時間の時間経過後に取り外される、請求項１５に記載の方法。
【請求項２２】
ヒトの唾液腺上の唾液制御装置の減圧吸着が、唾液の流れを防ぐよう唾液腺を締め付けるものである、請求項１５に記載の方法。
【発明の詳細な説明】
【技術分野】
【０００１】
本発明は、歯科医師による処置または口腔内手術を容易にすべく、口腔内を唾液のない状態に保つために用いられる唾液制御装置に関する。
【背景技術】
【０００２】
口腔内で種々の処置を施す際、歯科医師は、唾液腺により生成される唾液の流れを遅くするか、少なくともその流れ方向を変えることを望み、あるいは必要とすることがよくある。口腔内には、主な唾液腺が４つある。２つの耳下腺が口の内部における各耳の近くに存在する。また、２つの舌下腺が舌の付け根付近に位置する。生成される唾液のほとんど全部がこれらの主な唾液腺を通って患者の口内に入ってくる。そして僅かの量は粘膜を通って入ってくる。唾液が口腔内における歯科医師の作業を妨げるのを防ぐべく、幾つかの装置および技術が採用されている。
【０００３】
主な唾液腺により生成される唾液が口腔内における歯科医師の作業を妨害するのを防ぐために、脱脂綿ロールが使用されている。脱脂綿ロールは、唾液腺の下に設置される。唾液は、生成されると下方に流れ、そして脱脂綿に吸収される。脱脂綿ロールを使用することの一つの欠点は、脱脂綿ロールは比較的大きく、大きな空間を占めるため、歯科医師の口腔内における作業能力を制限することである。さらに、脱脂綿ロールはすぐに飽和し、処置中に脱脂綿を除去して入れ替えることが必要となる。脱脂綿ロールは、設置した箇所に保持しておくことが困難であることが多い。最後に、脱脂綿ロールは、患者にとって不快でありうる。
【０００４】
また、口内の領域を唾液から隔離するべく、ゴム製のダムが使用されている。ゴム製ダムは、組み立てることを要し、組み立てには有意に時間がかかりうるため、使用が難しい。さらに、ゴム製ダムを使用するとき、患者は彼または彼女の口を完全に閉じることはできない。このため、歯科医師は、患者の噛み合わせをチェックすることが困難となり、そして一般に患者は不快な思いをする。
唾液腺によって生成された余剰の唾液を除去するために歯科用の吸引チューブも使用されている。一般に、吸引チューブは、唾液が溜ったときに余剰の唾液を除去するために、定期的に患者の口内に挿入される。このため、吸引チューブを定期的に挿入するアシスタントを要することとなるか、あるいは歯科医師の作業を中断する必要があることとなる。
【０００５】
最後に、唾液の生成を制御するため、全身投与（例えばスカポルキニン（ｓｃａｐｏｌｑｕｉｎｉｎｅ）およびアトロピン）が施される。これは唾液生成の抑制には有効だが、見当識障害、記憶喪失および長引く口腔乾燥などの副作用がある。
図１に、唾液収集装置１０を図示した。唾液収集装置は「ラッシュレーキャップ（Ｌａｓｈｌｅｙ  ｃｕｐ）」とも呼ばれ、耳下腺により生成される唾液を連続的に集めるために使用される。ラッシュレーキャップは、歯科的処置の最中に患者の口内を唾液から隔離するために使用されたことはない。おそらく、使用中患者内に２本の異なる減圧チューブを入れることを要し、従って障害となり、不快だからであろう。
上記の観点から、ヒトの口を唾液腺により生成される望ましくない唾液から隔離し、しかも従来の装置および方法の不快さおよび侵入的要素のない装置を提供することは、当業界の進歩となろう。
【発明の開示】
【発明が解決しようとする課題】
【０００６】
本発明は、唾液腺による唾液の生成を制御または隔離する唾液制御装置を目的とする。唾液の生成を制御することは、歯科医師が口腔内で作業することの助けとなる。
【課題を解決するための手段】
【０００７】
唾液制御装置は、本体、該本体中に形成され唾液腺上（ｏｖｅｒ  ｔｈｅ  ｓａｌｉｖａｒｙ  ｇｌａｎｄ）に密閉を形成する孔、該孔が密閉を形成するのを補助する本体内にある減圧室および空気排出口を含む。前記空気排出口は、減圧室および孔を減圧にし、その後減圧を維持するために選択して用いられる。減圧下では、唾液腺は孔内に引っ張られる。言い換えると、唾液腺上に唾液制御装置が設置され、減圧室および孔が減圧にされると、減圧室は、孔が唾液腺上に密閉を形成するのを補助する。このようにして、上記装置は唾液の生成を減少し、および／または唾液腺から生成される唾液が装置の範囲を超えて流れ出ることを防ぐ。
【発明を実施するための最良の形態】
【０００８】
ある実施態様では、孔は充分に小さく、唾液腺が孔内で引き上げられたときに唾液腺は該孔を規定する壁に締め付けられる。この締め付けにより、唾液の生成をさらに防ぐことができる。
【０００９】
唾液制御装置は、一つの唾液腺（例えば耳下腺）または二つの唾液腺（例えば舌下腺）を覆うのに適するように設計することができる。必要であれば、ヒトの唾液腺のうちの幾つかまたは全部をカバーするために、同時に複数の装置を使用してもよい。唾液制御装置は、不慮に患者の咽喉に落ち、または飲み込まれないように、命綱ないし紐を有していてもよい。命綱の一端は、（例えば鳩目を通して）装置に取り付けられる。他の一端は、装置が飲み込まれ、窒息し、吸い込まれ、またはそうでなくとも患者の口内を離れて結局は失われるのを避けるため、何らかの適当な固定材に取り付けられる。好ましい命綱の材料としては、通常の糸、デンタルフロスおよび単繊維などである。
唾液制御装置は、使用に際して直接に唾液腺の上に位置し、唾液腺が本体の孔内に引き込まれるよう、減圧吸着する。減圧にするためには、従来の歯科用吸引チューブ、その他当業界で知られている吸引または減圧機器を使用することができる。当業者は、唾液制御装置が唾液腺上に減圧密閉することができるよう、適当な吸引機器を選択し、唾液制御装置をモディファイすることができる。唾液制御装置を所定位置に装着すれば、歯科医師は、唾液の蓄積を気にせずに必要な作業を行うことができる。
歯科医師が必要な歯科的処置を終了したときには、ただ単に減圧を除去する（例えば何らかの適当な平らな器具を用いて持ち上げる）ことにより、唾液制御装置を患者の口から取り外すことができる。唾液制御装置は、必要な時間だけ装着し続けることができるが、好ましくは施される処置に応じて約３０分〜約３時間である。
【００１０】
ある実施態様では、少なくとも一つの主たる唾液腺上に唾液制御装置を配置し、減圧吸着するために、吸引機器が使用される。装置の空気排出口は、適当な吸引機器に接続される。さらに唾液制御装置は、空気排出口の近くに唾液制御装置を吸引機器（例えば歯科用吸引チューブ）に接続するのを一時的に助けるためのボタン、盛り上がったリムまたは溝を有していてもよい。ヒトの唾液腺上に装置を配置し、減圧吸着する前に、必要に応じて唾液制御装置の本体の底部に粘着剤を塗布してもよい。このような粘着剤は、装置が腺上に吸着し、また腺を囲繞する口内の組織表面に対して密閉を形成するのを補助することができる。
本発明の上記ならびにその他の利益、利点および特質は、以下の説明および添付した特許請求の範囲によってより詳細に明らかとなり、あるいは以下に説明される本発明の実施によって理解されるであろう。
【００１１】
図面の簡単な説明
本発明の上記ならびにその他の利益、利点および特質を示す態様が得られるよう、添付の図に記載された特定の実施態様を参照して、上記に抄録した本発明につきより詳細な説明を行なう。これらの図は本発明の典型的な実施態様のみを描いたものであり、従って本発明の範囲を限定するものとは考えられるものではないことを理解せよ。以下の図の使用を通して、本発明のさらなる特質および詳細について記載し、説明する：
図１は、現在ある唾液収集装置の斜視図である；
図２Ａおよび２Ｂは、減圧密閉型唾液制御装置の典型的な実施態様の上面および下面である；
図２Ｃは、唾液制御装置の図２Ａおよび２Ｂの実施態様が、ひとまとまりの部品（ａ  ｓｉｎｇｌｅ  ｉｎｔｅｇｒａｔｅｄ  ｐｉｅｃｅ）で形成されうることを示す；
図３Ａ〜３Ｃは、複数の舌下腺上に使用するために２つの室を有する唾液制御装置の他の実施態様を示す；
図４Ａ〜４Ｃは、複数の舌下腺上に使用するために一つの大きな室を有する唾液制御装置の他の実施態様を示す；
図５Ａ〜５Ｃは、チューブを具備した空気排出口を有する唾液制御装置のさらに別の態様を示す；そして
図６Ａおよび６Ｂは、唾液制御装置がヒトの口内で減圧吸着した典型的な位置を示す。
【００１２】
好ましい実施態様の詳細な説明
Ｉ．はじめに
本発明について、種々の典型的な実施態様を記載した図を参照しつつ、以下に詳細に説明する。指定された参照図と類似した類似構造も提供されることが理解されよう。
【００１３】
本発明は、唾液腺による唾液の生成を制御または隔離する唾液制御装置を目的とする。唾液の生成を制御または隔離することは、歯科医師が口腔内で作業することの助けとなる。唾液制御装置は、本体、該本体中に形成され唾液腺上に密閉を形成する孔、該孔が密閉を形成するのを補助する本体内にある減圧室および空気排出口を含む。空気排出口は、減圧室と流体的に導通可能であり、減圧室は孔と導通している。前記空気排出口は、減圧室および孔を減圧にし、その後減圧を維持するために選択して用いられる。減圧下では、唾液腺は孔内に引っ張られる。このようにして、上記装置は唾液の生成を減少し、および／または唾液腺から生成される唾液が装置の範囲を超えて流れ出ることを防ぐ。代替的な唾液制御装置は、「減圧密閉型唾液制御装置」と題された国際特許出願公開ＷＯ２００４／０６９０８４に開示されている。
【００１４】
ＩＩ．減圧密閉型唾液制御装置の例
図２Ａ〜２Ｃは、唾液制御装置１００の典型例を示す。図２Ａおよび２Ｂは、上方および下方からの斜視図であり、図２Ｃは側面の斜視図である。装置１００は本体１０２、孔１０４（図２Ｂ）、減圧室１０６、および空気排出口１０８（図２Ａ）を有する。図２Ａ〜２Ｃでは、実質的に円筒状のものを示したけれども、本体１０２および孔１０４は任意の形状であることができる。異なる形状の孔を有する実施態様を図４Ａ〜４Ｃに示した。図２Ａ〜２Ｃに戻ると、孔１０４は唾液腺を覆って密封するよう構成されている。ある実施態様では、孔１０４を囲繞する本体１０２は柔軟な変形しうる材料で形成されることができる。さらに、確実な密閉を形成するために柔軟で曲げることのできる材料を使用すると、患者に高度の快適さを与えることができる。
【００１５】
図２Ａに最もよく示されているように、空気排出口１０８は、装置を装着する際に歯科医師がアクセスすることが容易なように、本体１０２の頂部の中央付近に配置される。空気排出口１０８は、本体１０２の頂部の中央付近に配置されることが好ましいが、装置のその他のどこに配置されてもよい。
空気排出口１０８（図２Ａ）は、歯科医師をしてヒトの唾液腺を覆う装置１００を減圧吸着させることができるように、減圧室１０６および孔１０４から選択的に空気を排出するように構成される。唾液制御装置は、ひとまとまりの部品からなることができる。かかる実施態様の一つを図２Ｃに示した。図２Ｃは、可撓性のヒンジ１１０によってまとめられた２つの部分からなる。
唾液制御装置１００は、不慮に患者の咽喉に落ち、または吸い込まれないように、命綱（ないし紐）１１１を有していてもよい。命綱１１１の一端は凹部または凸部（例えば鳩目１１３）を通して装置１００に取り付けられ、他の一端は、装置１００が飲み込まれ、窒息し、吸い込まれ、またはそうでなくとも患者の口内を離れて結局は失われるのを避けるため、何らかの適当な固定材に取り付けられる。好ましい命綱の材料の例としては、通常の糸、デンタルフロスおよび単繊維などである。
【００１６】
図３Ａ〜３Ｃは、他の唾液制御装置２００を示す。図３Ａおよび３Ｂは上方および下方からの斜視図であり、図３Ｃはひとまとまりの部品からなる装置２００が「開いた」ところを示す。この「開いた」ところは、装置２００がどのようにしてひとまとまりの部品からなるのかを表すために示した。装置２００は、本体２０２、一対の孔２０４（図３Ｂ）、減圧室２０６、スリットバルブ２０８からなる空気排出口（図３Ａ）、および可撓性のヒンジ２１０を有する。二つの孔２０４を有することにより、装置２００は一つの装置で双方の腺から生成する唾液を制御することができ、特に舌下腺上に使用するのに有用である。
【００１７】
図４Ａ〜４Ｃは、他の唾液制御装置３００を示す。唾液制御装置３００は、本体３０２、大きな楕円形の孔３０４（図４Ｂ）、減圧室３０６、空気排出口３０８（図４Ａ）、および可撓性のヒンジ３１０を有する。孔３０４は二つの唾液腺（例えば舌下腺の双方）を受容するように構成されている。実質的に楕円形として図示されているけれども、孔３０４は何らかの適当な形状（例えば大きな丸状あるいはその他）であることができる。孔３０４が一つまたはそれ以上の唾液腺上に密閉を形成することを減圧室３０６がアシストするように、孔３０４は、空気排出口３０８と連絡する減圧室３０６と流体的に導通している。
【００１８】
図５Ａ〜５Ｃは、他の唾液制御装置４００を示す。唾液制御装置４００は、本体４０２、孔４０４（図５Ｂ）、本体４０２中の減圧室４０６、および空気排出口４０８（図５Ａ）を有する。孔４０４が唾液腺上に密閉を形成することを減圧室４０６が補助するように、孔４０４は、減圧室４０６と流体的に導通している。空気排出口４０８の図示した態様は装置の側面に位置する単一の出入り口であるが、代替的に種々の他の構造の空気排出口も使用することができる。図５Ｃは、二つの部分が可撓性のヒンジ４１０で結合されたひとまとまりの部品からなる装置４００の態様を示す。
【００１９】
図６Ａは、唾液制御装置１００を患者の耳下腺の一つの上に配置して減圧吸着するために、ハンドヘルドの吸引器具５５０を使用する例を示す。吸引器具５５０は、ハンドル５５４のある本体５５２を有し、本体５５２の上部５５６は、アプリケーションシリンジ５５８を支えるように構成されている。アプリケーションシリンジ５５８は、胴体部５６０、プランジャー５６２、および先端部５６４を有する。先端部５６４は、装置１００の空気排出口１０８および任意的な周辺構造（例えばボタン、盛り上がったリムまたは溝）と連結するように構成されている（図２Ａ参照）。ハンドル５５４が操作されると十分な強度の減圧となり、装置１００が唾液腺上に減圧吸着する。患者間の二次感染を防ぐべく、アプリケーションシリンジ５５８は使い捨てであるか、あるいは高圧消毒に耐える。
【００２０】
図６Ｂは、複数の唾液制御装置１００、１００、および２００が患者の複数の唾液腺上に配置され、減圧吸着したところを示す。二つの同種の装置１００は患者の耳下腺上に配置され、装置２００は患者の舌下腺上に配置され、減圧吸着している。主たる唾液腺のすべてが覆われている態様を図示しているけれども、使用する装置の数はいくつでもよい（例えば一つと少なくてもでもよいし、３つと多くてもよい）。歯科医師が口腔内での作業を追えた場合には、ただ単に減圧を除去する（例えば平らな器具を用いて装置を持ち上げる）ことにより、装置を患者の口内から取り外すことができる。
【００２１】
所望により、装置を患者の唾液腺上に配置して減圧吸着する前に、唾液制御装置の本体の底部に粘着剤を塗布してもよい。好ましい粘着剤の例としては、ポリビニルピロリドン、カルボキシメチルセルロース、ｃａｒｂｏｐｏｌ、または光硬化性粘着剤（例え親水性ポリウレタン、親水性アクリル樹脂または親水性ポリウレタン−アクリル樹脂のうちの一つまたはそれ以上）を挙げることができるが、これらに限定されない。
特許請求の範囲に記載された発明は、その趣旨ないし本質的特性を逸脱しない限り、他の特定の形態をも包含するものであることは理解されるであろう。上記された態様は、あらゆる点で例示としてのみ考えられるものであり、これらに限定されるものではない。従って本発明の射程は、上記の記載ではなく、添付した特許請求の範囲よって示される。特許請求の範囲と同等の趣旨および範囲における変更は、本発明の射程に包含される。
【図面の簡単な説明】
【００２２】
【図１】図１は、現在ある唾液収集装置の斜視図である。
【図２】図２Ａおよび２Ｂは、減圧密閉型唾液制御装置の典型的な実施態様の上面および下面である。  図２Ｃは、唾液制御装置の図２Ａおよび２Ｂの実施態様が、ひとまとまりの部品（ａ  ｓｉｎｇｌｅ  ｉｎｔｅｇｒａｔｅｄ  ｐｉｅｃｅ）で形成されうることを示す。
【図３】図３Ａ〜３Ｃは、複数の舌下腺上に使用するために２つの室を有する唾液制御装置の他の実施態様を示す。
【図４】図４Ａ〜４Ｃは、複数の舌下腺上に使用するために一つの大きな室を有する唾液制御装置の他の実施態様を示す。
【図５】図５Ａ〜５Ｃは、チューブを具備した空気排出口を有する唾液制御装置のさらに別の態様を示す。
【図６】図６Ａおよび６Ｂは、唾液制御装置がヒトの口内で減圧吸着した典型的な位置を示す。
【図１】
2009504359.tif 000003
【図２】
2009504359.tif 000004
【図３】
2009504359.tif 000005
【図４】
2009504359.tif 000006
【図５】
2009504359.tif 000007
【図６】
2009504359.tif 000008
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
唾液腺による唾液の生成を制御する唾液制御装置であって、
本体；
本体中の孔、この孔は唾液腺上に密閉を形成する；
本体中の減圧室、この減圧室は、前記孔と流体的に導通し、唾液制御装置を唾液腺上に配置して減圧室を減圧にしたときに唾液腺上に密閉を形成する孔を補助する；および
空気排出口、この空気排出口は減圧室を減圧にしそして減圧室の減圧を維持する、
からなる上記唾液制御装置。
【請求項２】
空気排出口が一方通行のバルブである、請求項１に記載の唾液制御装置。
【請求項３】
空気排出口が本体の頂部に配置されている、請求項１に記載の唾液制御装置。
【請求項４】
空気排出口が本体の頂部の中心付近に配置されている、請求項３に記載の唾液制御装置。
【請求項５】
さらに、唾液制御装置を吸引装置に一時的に連結することを補助するためのボタン、盛り上がったリムまたは溝のうちの少なくとも一つを空気排出口の近くに有する、請求項１に記載の唾液制御装置。
【請求項６】
空気排出口がボタン中に形成されたスリットからなる、請求項５に記載の唾液制御装置。
【請求項７】
さらに、本体に命綱を取り付けるための少なくとも一つの凹部または凸部を有する、請求項１に記載の唾液制御装置。
【請求項８】
さらに、本体に取り付けられた命綱を有する、請求項７に記載の唾液制御装置。
【請求項９】
装置の少なくとも一部が柔軟な変形しうる材料で形成されている、請求項１に記載の唾液制御装置。
【請求項１０】
孔が実質的に円形である、請求項１に記載の唾液制御装置。
【請求項１１】
孔が、唾液腺の一つを受容するような大きさおよび構成を有する、請求項１に記載の唾液制御装置。
【請求項１２】
孔が、唾液腺の二つを受容するような大きさおよび構成を有する、請求項１に記載の唾液制御装置。
【請求項１３】
さらに第二の孔を有し、各孔が唾液腺のそれぞれを受容するような構成を有する、請求項１に記載の唾液制御装置。
【請求項１４】
上記本体は二つの部分が可撓性のヒンジで結合されてなり、装置がひとまとまりの部品からなる、請求項１に記載の唾液制御装置。
【請求項１５】
請求項１に記載の唾液制御装置を準備する段階；
該唾液制御装置をヒトの唾液腺上に配置する段階；
ヒトの唾液腺上の該唾液制御装置を減圧吸着し、該唾液腺から口腔内に流れる唾液を防ぐ段階；そして
唾液制御装置を取り外す段階
からなる、唾液制御装置の使用方法。
【請求項１６】
唾液制御装置が耳下腺上に配置される、請求項１５に記載の方法。
【請求項１７】
唾液制御装置が舌下腺上に配置される、請求項１５に記載の方法。
【請求項１８】
さらに、ヒトの唾液腺上に装置を配置しそして減圧にする前に、唾液制御装置の底部に粘着剤を塗布する段階を有する、請求項１５に記載の方法。
【請求項１９】
前記粘着剤がポリビニルピロリドン、カルボキシメチルセルロース、またはｃａｒｂｏｐｏｌのうちの少なくとも一つである、請求項１８に記載の方法。
【請求項２０】
前記粘着剤が、親水性ポリウレタン、親水性アクリル樹脂、または浸水例ポリウレタン−アクリル樹脂のうちの少なくとも一つからなる光硬化性粘着剤である、請求項１８に記載の方法。
【請求項２１】
唾液制御装置が約３０分〜約３時間の時間経過後に取り外される、請求項１５に記載の方法。
【請求項２２】
ヒトの唾液腺上の唾液制御装置の減圧吸着が、唾液の流れを防ぐように唾液腺を前記孔内に引き込みそして該唾液腺を締め付けるものである、請求項１５に記載の方法。
【国際調査報告】
2009504359.tif 000009
2009504359.tif 000010
2009504359.tif 000011